【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
対向する第１、第２面、および該２つの面の少なくとも１つにおいて視覚的に認識できるよう取り付けられている多層セキュリティー素子（２、４）を備えた基体（１）を有して成るセキュリティー・ドキュメント、または該ドキュメントの半製品であって、
前記セキュリティー素子が、カラーシフト効果をもたらす多層干渉素子（Ｉ）および少なくとも一部が該干渉素子（Ｉ）に重複している回折構造体（８）を備えた層（Ｓ）を有して成るセキュリティ・ドキュメントまたは半製品において、
前記セキュリティー素子が半透明であり、前記干渉素子（Ｉ）が少なくともひとつの層にギャップを有して成り、前記回折構造体（８）が該干渉素子（Ｉ）に直接接していることを特徴とするドキュメントまたは半製品。
【請求項２】
前記セキュリティー素子（２、４）が、前記基体（１）の前記２つの面の１つに貼付され、該基体（１）の穴（３）または透明領域を越えて延びていることを特徴とする請求項１記載のドキュメントまたは半製品。
【請求項３】
前記セキュリティー素子（４）が、少なくとも一部が前記基体（１）に埋め込まれ、該基体（１）の穴（３）または透明領域を越えて延びていることを特徴とする請求項１記載のドキュメントまたは半製品。
【請求項４】
前記セキュリティー素子（４）が、前記基体（１）の前記第１基体面の第１領域（７）、および随意として前記第２基体面の前記第１領域と異なる第２領域において視覚的に認識できるよう前記基体（１）に埋め込まれていることを特徴とする請求項３記載のドキュメントまたは半製品。
【請求項５】
前記セキュリティー素子（４）がセキュリティー・スレッドであることを特徴とする請求項３または４記載のドキュメントまたは半製品。
【請求項６】
前記干渉素子（Ｉ）が透明プラスチック基体（Ｓ）上に配されていることを特徴とする請求項１〜５いずれか１項記載のドキュメントまたは半製品。
【請求項７】
前記プラスチック基体（Ｓ）が着色されていることを特徴とする請求項６記載のドキュメントまたは半製品。
【請求項８】
前記干渉素子（Ｉ）が、第１吸収層（Ａ１）、該第１吸収層（Ａ１）に隣接重畳されている誘電体層（Ｄ）、および該誘電体層（Ｄ）に隣接重畳されている第２吸収層（Ａ２）を有して成ることを特徴とする請求項１〜７いずれか１項記載のドキュメントまたは半製品。
【請求項９】
前記干渉素子（Ｉ）が、交互に高屈折率および低屈折率を有する隣接重畳されている少なくとも３つの誘電体層（Ｄ１〜Ｄ４）を有して成ることを特徴とする請求項１〜７いずれか１項記載のドキュメントまたは半製品。
【請求項１０】
前記干渉素子（Ｉ）を構成する層（Ａ１、Ｄ、Ａ２；Ｄ１〜Ｄ４）が蒸着されていることを特徴とする請求項１〜９いずれか１項記載のドキュメントまたは半製品。
【請求項１１】
前記干渉素子（Ｉ）が、好ましくは該素子の１つの層、特に好ましくは前記吸収層の少なくとも１つに、記号、パターンあるいは符号形状を成すギャップ（９）を有して成ることを特徴とする請求項１〜１０いずれか１項記載のドキュメントまたは半製品。
【請求項１２】
前記プラスチック基体（Ｓ）が、前記回折構造体（８）を有して成ることを特徴とする請求項６〜１１いずれか１項記載のドキュメントまたは半製品。
【請求項１３】
前記回折構造体（８）が別の層に配されていることを特徴とする請求項１〜１１いずれか１項記載のドキュメントまたは半製品。
【請求項１４】
前記回折構造体（８）がエンボス加工されたレリーフ・パターンを有して成ることを特徴とする請求項１〜１３いずれか１項記載のドキュメントまたは半製品。
【請求項１５】
前記セキュリティー素子の見方により、前記回折構造体による効果が、該素子の前記一方または両方の面において視覚的に認識できることを特徴とする請求項１〜１４いずれか１項記載のドキュメントまたは半製品。
【請求項１６】
前記セキュリティー素子の見方により、前記回折構造体による効果および/または前記干渉素子によるカラーシフト効果が、該素子の前記両面において視覚的に認識できることを特徴とする請求項１〜１５いずれか１項記載のドキュメントまたは半製品。
【請求項１７】
前記セキュリティー素子の見方により、前記回折構造体による効果および/または前記干渉素子によるカラーシフト効果が、該素子の前記両面において同じであることを特徴とする請求項１６記載のドキュメントまたは半製品。
【請求項１８】
セキュリティー・ドキュメント（１）に埋め込まれるか、または貼付されるセキュリティー素子であって、
カラーシフト効果をもたらす多層干渉素子（Ｉ）および少なくとも一部が該干渉素子（Ｉ）に重複している回折構造体（８）を備えた層（Ｓ）を有して成る素子において、
該素子が半透明であり、前記干渉素子（Ｉ）が少なくともひとつの層にギャップを有して成り、前記回折構造体（８）が該干渉素子（Ｉ）に直接接していることを特徴とする素子。
【請求項１９】
前記干渉素子（Ｉ）が透明プラスチック基体（Ｓ）上に配されていることを特徴とする請求項１８記載の素子。
【請求項２０】
前記干渉素子（Ｉ）が第１吸収層（Ａ１）、該第１吸収層（Ａ１）に隣接重畳されている誘電体層（Ｄ）、および該誘電体層（Ｄ）に隣接重畳されている第２吸収層（Ａ２）を有して成ることを特徴とする請求項１８または１９記載の素子。
【請求項２１】
前記干渉素子（Ｉ）が、交互に高屈折率および低屈折率を有する隣接重畳されている少なくとも３つの誘電体層（Ｄ１〜Ｄ４）を有して成ることを特徴とする請求項１８または１９記載の素子。
【請求項２２】
前記干渉素子（Ｉ）を構成する層（Ａ１、Ｄ、Ａ２；Ｄ１〜Ｄ４）が蒸着されていることを特徴とする請求項１９〜２１いずれか１項記載の素子。
【請求項２３】
前記干渉素子（Ｉ）が、好ましくは該素子の１つの層、特に好ましくは前記吸収層の少なくとも１つに、記号、パターンあるいは符号形状を成すギャップ（９）を有して成ることを特徴とする請求項１８〜２２いずれか１項記載の素子。
【請求項２４】
前記プラスチック基体（Ｓ）が、前記回折構造体（８）を有して成ることを特徴とする請求項１９〜２３いずれか１項記載の素子。
【請求項２５】
前記回折構造体（８）が別の層に配されていることを特徴とする請求項１８〜２３いずれか１項記載の素子。
【請求項２６】
前記回折構造体（８）がエンボス加工されたレリーフ・パターンを有して成ることを特徴とする請求項１８〜２５いずれか１項記載の素子。
【請求項２７】
前記セキュリティー素子の見方により、前記回折構造体による効果および/または前記干渉素子によるカラーシフト効果が、該素子の前記両面において視覚的に認識できることを特徴とする請求項１８〜２６いずれか１項記載の素子。
【請求項２８】
セキュリティー・ドキュメントに埋め込まれるセキュリティー・スレッドの形態をなしていることを特徴とする請求項１８〜２７いずれか１項記載の素子。
【請求項２９】
セキュリティー・ドキュメントに貼付されるラベルまたはパッチの形態を成していることを特徴とする請求項１８〜２７いずれか１項記載の素子。
【請求項３０】
転写方法によってセキュリティー・ドキュメントに貼付される転写素子の形態を成していることを特徴とする請求項１８〜２７いずれか１項または請求項２９記載の素子。
【請求項３１】
セキュリティー素子を有価証書に貼付するための転写材料であって、
カラーシフト効果を有する多層干渉素子（Ｉ）、および少なくとも一部が該干渉素子に重複している回折構造体を備えた層（Ｓ）を有して成る材料において、
前記セキュリティー素子が半透明であり、前記干渉素子（Ｉ）が少なくともひとつの層にギャップを有して成り、前記回折構造体（８）が該干渉素子（Ｉ）に直接接していることを特徴とする材料。
【請求項３２】
セキュリティー素子を備えた有価証書を製造する方法であって、前記証書の一部に請求項３１記載の転写材料の層構造体を転写することを特徴とする方法。
【請求項３３】
製品保護に請求項１〜１７いずれか１項記載のドキュメントまたは半製品を使用する方法。